(57)【要約】【課題】  桟部を高くした瓦の葺き合わせにおいては、桟部が高くなると立ち上がり角度が大きくなり、切り欠いた部分が重ねる瓦の差込部より上方に位置し、相互に係合できない問題がある。また、桟部をラッパ型にすると、谷部の幅が頭部側に向かって狭くなっていくため、水が流れにくく落ち葉などが引っ掛かりやすくなる。【解決手段】  桟部の尻部側コーナーに切欠を有し、差込部の頭部側におけるほぼ水平面の隅角部に該切欠の側端部を重ねて葺設する瓦本体構造であって、該隅角部の側端部に突条部を設けると共に、該突条部に嵌合する嵌合溝を桟部の稜線近傍の裏面に設ける。或いは、桟部が瓦本体の厚みの２倍以上突出する桟高を有する瓦本体構造であって、谷部に、該桟部の稜線に対し尻部側から頭部側に向かって漸次近づき、該桟部の幅を尻部側から頭部側に向かって漸次狭くする勾配を設け、該谷部を末広がり状にする。【選択図】        図５
2005248582.tif 000002
【特許請求の範囲】
【請求項１】
桟部の尻部側コーナーに切欠を有し、差込部の頭部側におけるほぼ水平面の隅角部に該切欠の側端部を重ねて葺設する瓦本体構造であって、該隅角部の側端部に突条部を設けると共に、該突条部に嵌合する嵌合溝を桟部の稜線近傍の裏面に設けたことを特徴とする桟瓦。
【請求項２】
桟部は瓦本体の厚みの２倍以上突出する桟高を有し、瓦本体の前端部に前垂部を設けたものである請求項１記載の桟瓦。
【請求項３】
谷部は、桟部の稜線に対し尻部側から頭部側に向かって漸次近づく勾配を設けたものである請求項１又は２記載の桟瓦。
【請求項４】
隅角部は、桟部の裏面を嵌め込む陥凹部を設けたものである請求項１、２又は３記載の桟瓦。
【請求項５】
嵌合溝は、桟部表面に突出させた膨出部裏面に設けたものである請求項１、２又は３記載の桟瓦。
【請求項６】
桟部が瓦本体の厚みの２倍以上突出する桟高を有する瓦本体構造であって、谷部に、該桟部の稜線に対し尻部側から頭部側に向かって漸次近づき、該桟部の幅を尻部側から頭部側に向かって漸次狭くする勾配を設け、該谷部を末広がり状としたことを特徴とする桟瓦。
【請求項７】
瓦本体の前端部に前垂部を設けたものである請求項６記載の桟瓦。
【請求項８】
桟部は、各部の横断面形状がほぼ一定である請求項７記載の桟瓦。
【発明の詳細な説明】
【技術分野】
【０００１】
本発明は、桟部を高くした桟瓦の改良に関するものである。
【背景技術】
【０００２】
一般的な和瓦における桟瓦は、桟部の尻部側と差込部の頭部側のコーナー部分にそれぞれ切欠が設けられ、各切欠の幅方向部分を対向させて対角線方向に葺設されている。対角線上に設けた切込を相互に嵌め込むことにより、葺設したときのずれを防止することができる。また、例えば特許文献１のように切込部分に受片などを突設して、風による浮き上がりを防止した構造のものがある。
【０００３】
このような桟瓦は桟部の高さが低い構造であり、対角線上に葺き並べるときの桟部と差込部の高低差が少ないことから、上述したような切込部分に受片などを突設して相互に係合させることができる。反面、Ｓ型瓦などの桟部を高くした瓦のように、起伏が大きく立体感溢れる屋根形状を創出することができず、構造的にどうしても起伏の乏しい外観を呈することになる。
【特許文献１】特開平２−０２７０４７号
【特許文献２】特開平８−２９１５９４号
【発明の開示】
【発明が解決しようとする課題】
【０００４】
ところが、桟部を高くした瓦の葺き合わせにおいては、対角線上に切欠を設けても、これらを相互に係合させることができない問題がある。つまり、桟部が高くなると、立ち上がり角度が大きく、切り欠いた部分が重ねる瓦の差込部より上方に位置するためである。このことから、従来では桟部の尻部側のコーナーにのみ切欠を設け、切り欠いた部分の側端部を頭部と差込部との隅角部に単に載置して葺設するだけであり、横方向のずれを防止できないだけでなく、きき幅（横方向に重ねる２枚の瓦の端部間長さ）を一定にして葺設するのが難しくなるなどの問題もあった。
【０００５】
また、瓦本体の厚みの２〜３倍以上突出する桟高の桟瓦に、桟部をラッパ型にしたものがある。ラッパ型にすることにより、尻部側の桟高を低くすることができ、従来の一般的な桟瓦と同じように対角線上に設けた切欠同士を係合させて葺設することも可能となる。しかしながら、桟部をラッパ型にすると谷部の幅が頭部側に向かって狭くなっていく構造的な問題が生じる（特許文献２）。例えば、雨水が流れにくくなることや、落ち葉などが引っ掛かりやすくなるなどの問題である。特に、波形瓦のように桟部と同じような隆起部が複数ある瓦では、谷部の幅が極端に狭くなって上述した問題が顕著となる。
【課題を解決するための手段】
【０００６】
そこで本発明者は上記問題に鑑み鋭意研究の結果、本発明を成し得たものであり、その特徴とするところは、桟部の尻部側コーナーに切欠を有し、頭部と差込部との隅角部に該切欠の側端部を重ねて葺設する瓦であって、該隅角部の側端部に突条部を設けると共に、該突条部を嵌合させる嵌合溝を桟部の稜線近傍の裏面に設けたことにある。（第一発明）
【０００７】
或いは、桟部が瓦本体の厚みの２倍以上突出する桟高を有する瓦本体構造であって、谷部に、該桟部の稜線に対し尻部側から頭部側に向かって漸次近づき、該桟部の幅を尻部側から頭部側に向かって漸次狭くする勾配を設け、該谷部を末広がり状としたことにある。（第二発明）
【０００８】
ここで、本明細書中でいう「切欠」とは、桟部の尻部側端部の切り欠いた部分をいう。瓦を葺設する場合においては、一の瓦の尻部と差込部にそれぞれ他の瓦を一部重ねるため、対角線上に並ぶ２枚瓦の高さを揃えることを目的として設ける。本発明の第一発明に係る桟瓦は、桟部側のみに切欠を設け、該切欠の側端部を頭部と差込部との隅角部に重ねて葺設する。
【０００９】
「嵌合溝」とは、桟部の尻部側裏面の稜線近傍に設ける凹状部分をいう。この嵌合溝は、頭部と差込部との隅角部に設けた突条部を嵌合させることによって、対角線上に一部を重ねて並べる２つの瓦を相互に係合するものである。隅角部の上面は一般的にほぼ水平面や少し反り上がった面であり、突条部はこの面の側端部にほぼ鉛直方向に突出させて設けられ、水返しとして機能するものである。このような突条部に対し、嵌合溝を桟部の稜線近傍に設けることにより、ある程度きき幅調整可能に係合させることができる。つまり、湾曲形状の桟部であっても、その頂点部分の稜線近傍では、水平方向の長さを長く取ることができ、嵌合溝を広幅にできるためである。
【００１０】
稜線近傍に設ける嵌合溝と突条部は、隅角部上面に突出する突条部が、桟部裏面を凹ませることによって形成した嵌合溝に係合する位置関係とする。基本的には、桟部の稜線部分裏面と隅角部との間に隙間が生じないようにする。桟部の高さによっては、桟部の稜線部分裏面と隅角部との間にかなりの隙間が生じることになるが、瓦本体の前端部に前垂部を設けることによって調整する。例えば、桟高が瓦本体の厚みの約３倍ある場合、瓦本体の厚み程度の前垂部を設けることによって、桟部稜線部分裏面と隅角部との隙間を無くすことができる。ここでいう桟高は、尻部側における瓦本体の上面から桟部の頂点までの長さである。
【００１１】
桟高や前垂部の長さにより、桟部の稜線部分裏面と隅角部とが干渉する場合は、桟部の稜線部分裏面側を切除して係合させるようにする。嵌合溝を設けるための厚みが少ない場合は、稜線部表面側に膨出部を設ければよい。膨出部は、上に重ねる瓦の前垂部より奥部に設けることで、表面から隠すことができる。
【００１２】
「勾配」とは、桟部の稜線との関係において、谷部が尻部から頭部に向かって漸次該稜線に近づくように設けたものをいう。この勾配を設けることにより、谷部の頭部側が尻部側に対して上方に位置することになる。このことは、隅角部が高くなることであり、該隅角部に重ねる桟部稜線部分裏面との間隔を小さくすることができる。
【００１３】
「谷部を末広がり状」とは、桟部の幅を尻部側に対し頭部側を狭くすることによって、桟部と谷部の境界を流れ方向に対して斜めにし、谷部の幅を尻部側に対し頭部側を広くすることをいう。本発明の第二発明に係る桟瓦においては、尻部から頭部に向かって漸次桟部の稜線に近づく勾配を谷部に設けることによって、谷部が末広がり状となるようにしている。これにより、頭部側の桟高をほとんど低くすることなく、桟高を高くした尻部側の桟部とこれに重ねる頭部側の桟部の曲率半径の差を小さくすることができる。通常、瓦本体の前端部に前垂部を設けることにより、肉厚を犠牲にすることなく、前垂部の下面を尻部側の外周に合わせて葺設させる。
【発明の効果】
【００１４】
本発明の第一発明に係る桟瓦は、葺設時における重ね合わせ部の係合力を高めることができ、桟部を高くすることにより凹凸感を強調した瓦の美観のみならず、横ずれ防止や葺設持における位置決めを容易にし作業性を高めることが可能となる。
【００１５】
また、本発明の第二発明に係る桟瓦は、谷部を末広がり状にすることにより、異物が詰まりにくくなると共に水の排水機能が向上し、瓦本来の機能性を高めることができるなど、極めて有益な効果を有するものである。
【発明を実施するための最良の形態】
【００１６】
第一発明は、桟部を高くした桟瓦において、差込部の頭部側における隅角部の側端部に突条部を設け、該突条部に係合させる嵌合溝を桟部稜線近傍の裏面に設けたこと、第二発明は、桟部の稜線に対し尻部側から頭部側に向かって漸次近づく勾配を谷部に設け、該谷部を末広がり状にしたことにより、上述した課題を解決した。
【実施例１】
【００１７】
図１（ａ）（ｂ）は本発明の第一発明に係る桟瓦１の実施例であり、対角線上に重ね合わせた状態を示すものである。桟瓦１は、この例のように桟部２の尻部３側コーナーに切欠４を有し、該切欠４の側端部４１を差込部５と頭部６の隅角部７に重ねて葺設する構造である。この場合において、該隅角部７の側端部に設けられた突条部８を、桟部２の稜線２１近傍の裏面に凹ませることによって形成した嵌合溝２２に係合させている。
【００１８】
桟部２の稜線２１近傍に嵌合溝２２を設けたことにより、その幅を広くとることができ、きき幅調整するゆとりを持たせることができる。また、本例のように瓦本体の厚みｔに対して、桟高（瓦本体の上面から桟部２の頂点までの高さ）が約２ｔ程度であれば、桟部２裏面と隅角部７との間に隙間がほとんど生じず、突条部８を必要以上に高くすることなく嵌合溝２２に係合させることができる。この場合の桟高は、桟部２がいわゆるラッパ型ではなく、頭部側と尻部側をほぼ同じ高さとした桟部２の場合である。
【実施例２】
【００１９】
桟高が高い場合には、図２（ａ）のように桟部２裏面と隅角部７との間に大きな隙間が生じることになる。このような場合、本発明の第一発明に係る桟瓦１では、同図（ｂ）（ｃ）に示すように瓦本体の前端部に前垂部９を設けることによって、桟部２裏面と隅角部７との間に生じる隙間を小さくし、図１に示した突条部８及び嵌合溝２２と同様の関係を維持させている。尚、本例の前垂部９の上下方向の長さは、瓦本体の厚みの約０．５倍としている。
【実施例３】
【００２０】
また、図３（ａ）（ｂ）のように谷部１０に頭部６側を厚くする方向に勾配を設けることによっても、桟部２裏面と隅角部７との間に生じる隙間を小さくすることができる。
【実施例４】
【００２１】
尻部３側に重ねる瓦との関係においては、桟部２の尻部３側外周に対し頭部６側内周の肉厚をできるだけ薄くすることなく合致させるのみならず、谷部１０の幅が尻部３側に対し頭部６側が狭くなって排水機能が低下するのを防止することも重要である。このため、本発明の第二発明に係る桟瓦２０は、図４（ａ）（ｂ）のように桟部２の稜線２１に対し尻部３側から頭部６側に向かって漸次近づく勾配［図３（ｂ）］を谷部１０に設けることにより、該桟部２の幅を尻部３側から頭部６側に向かって漸次狭くし、該谷部１０を末広がり状にしている。
【００２２】
本例の桟瓦２０における桟部２は、尻部３と頭部６の断面形状（曲率半径）が同じ形状であり、通常は尻部３と頭部６の幅が同じになるが、谷部１０に勾配を設けることで頭部６側の幅が狭くなり、谷部１０が末広がり状となる。谷部１０に設ける勾配の角度によっては、桟部２の断面形状が尻部３側より頭部６側が大きくても、該谷部１０を末広がり状にすることができる。また、本例では図４（ｂ）のように桟部２の基部の肉厚が薄くなるが、前垂部９を設けて解消することができる。
【実施例５】
【００２３】
図５は、本発明の第一発明と第二発明を合体させた構造の波形瓦３０を示すもので、瓦本体の厚みｔが約１２mm、桟部２と中央部に設けた山部１１の尻部３側高さを約４５mmとした桟瓦である。また、瓦本体の前端部に設けた前垂部９は、谷部１０には約１０°の勾配を設けていることから、桟部２と山部１１では瓦本体の下面から約１２mm突出し、谷部１０では約２２mm突出する。
【００２４】
この構造から、桟部２裏面を約９mm程度凹ませると共に、桟部２表面側に約５mm程度突出させた膨出部２３に嵌合溝２２を設けている。膨出部２３は、重ね合わせる桟瓦１の前垂部９より奥部に設けることで、表面に現れないようにしている。そして、重ね合わせる桟瓦１の前垂部９の直下に位置する桟部２の肉厚を確保するため、隅角部７裏面に膨出部７２を形成して陥凹部７１を設けている。また、谷部１０に勾配を設けたことにより、横方向に葺き並べた桟部２と山部１１との間の谷部１０が末広がり状となる。
【００２５】
本例の桟瓦１は、図６（ａ）（ｂ）に示すように対角線方向に葺き重ねられる。桟高が瓦本体の厚みｔに対して約４倍程度の高い桟部２形状であっても、前垂部９を省略して図示した同図（ｃ）のように、桟部２の稜線２１裏面に設けた嵌合溝２２に突条部８を係合させて葺設することが可能となる。
【図面の簡単な説明】
【００２６】
【図１】本発明の第一発明に係る桟瓦の一例を示すもので、（ａ）は対角線方向に重ね合わせた状態を示す平面図、（ｂ）は（ａ）の正面図である。（実施例１）
【図２】（ａ）は桟高が高い瓦の重ね合わせ状態を示す正面図、（ｂ）は本発明の第一発明に係る桟瓦の他の例を示す正面図、（ｃ）は（ｂ）の側面図である。（実施例２）
【図３】（ａ）は本発明の第一発明に係る桟瓦のさらに他の例を示す正面図、（ｂ）は（ａ）の側面図である。（実施例３）
【図４】本発明の第二発明に係る桟瓦の一例を示すもので、（ａ）は対角線方向に重ね合わせた状態を示す平面図、（ｂ）は（ａ）の正面図である。（実施例４）
【図５】本発明の第一発明と第二発明を合体させた波形瓦の一例を示すもので、（ａ）平面図、（ｂ）は正面図、（ｃ）は背面図、（ｄ）は左側面図、（ｅ）は右側面図、（ｆ）は底面図である。（実施例５）
【図６】（ａ）は図５に示した桟瓦を対角線方向に重ね合わせた状態を示す平面図、（ｂ）は（ａ）の正面図、（ｃ）は前垂部を省略した正面図である。
【符号の説明】
【００２７】
１  本発明の第一発明に係る桟瓦
２０  本発明の第二発明に係る桟瓦
３０  本発明の第一発明と第二発明を合体させた波形瓦
２  桟部
２１  稜線
２２  嵌合溝
２３  膨出部
３  尻部
４  切欠
４１  側端部
５  差込部
６  頭部
７  隅角部
７１  陥凹部
８  突条部
９  前垂部
１０  谷部
１１  山部
【図１】
2005248582.tif 000003
【図２】
2005248582.tif 000004
【図３】
2005248582.tif 000005
【図４】
2005248582.tif 000006
【図５】
2005248582.tif 000007
【図６】
2005248582.tif 000008